(57)【要約】【課題】初期金型投資を抑制し、在庫管理の簡便化や出荷納期短縮を可能にし、且つ、建設現場等において自由、容易に配管設計変更を行いうる管継手のフランジ構造及び排水用管継手を提供する。【解決手段】管継手本体に設けられるフランジ受口１において、該フランジ受口形状が略小判型形状であり、該フランジ受口１に用いられるフランジ２が前記フランジ受口１に取付可能に略小判型形状を有し、前記フランジ受口１に接続される管の接続位置を該フランジ２により変更することが可能である（好ましくは、上記フランジ２を回転させて用いることにより、フランジ受口１に接続される管の接続位置を変更することが可能である）管継手のフランジ受口構造及びそれを用いた、上部及び下部開口接続部４，５、円筒部６、テーパー筒部７、及び横枝管接続部８を有する排水用管継手。【選択図】  図１
2004162512.tif 000002
【特許請求の範囲】
【請求項１】
管継手本体に設けられるフランジ受口において、該フランジ受口形状が略小判型形状であり、該フランジ受口に用いられるフランジが前記フランジ受口に取付可能に略小判型形状を有し、前記フランジ受口に接続される管の接続位置を該フランジにより変更することが可能であることを特徴とする管継手のフランジ受口構造。
【請求項２】
フランジを回転させて用いることにより、フランジ受口に接続される管の接続位置を変更することが可能であることを特徴とする請求項１記載の管継手のフランジ受口構造。
【請求項３】
排水立て管を接続するための上部及び下部開口接続部、該上部開口接続部の下部につながる前記排水立て管よりも大径の円筒部、該円筒部の下部に下向きに縮径されながら下部開口接続部につながるテーパー筒部、及び前記円筒部の側部に設けられた少なくとも１口の横枝管接続部を有する排水用管継手において、少なくとも１口の横枝管接続部が請求項１又は２記載のフランジ受口構造を有することを特徴とする排水用管継手。
【発明の詳細な説明】
【０００１】
【発明の属する技術分野】
本発明は、管継手のフランジ受口構造及び排水用管継手に関し、詳しくは、集合住宅、ホテル、事務所ビルなどの排水配管における排水立て管配管に好適に用いられる管継手のフランジ受口構造及び排水用管継手に関する。
【０００２】
【従来の技術】
集合住宅において使用される排水立て管配管に用いられる排水用管継手は、例えば特許文献１に記載されているように、両端に排水立て管接合部が設けられ、管軸と直行方向に枝管接合部が設けられた大径の拡大部を備え、該拡大部と下側の排水立て管接合部との間がテーパー管部とされると共に、枝管接合部下端よりも下方に位置して、管軸に対して傾斜した羽根が突設されている構造を有するものが多用されている。
【０００３】
しかし、住戸内のバリアフリー化等のため、最近ではトイレや洗濯、台所、手洗いといった各種住戸内設備の排水配管が排水立て管に設置された排水立て管用管継手へ接続する際に、床レベルから異なった高さで接続しなければならない配管形態が見られるようになり、従来の排水立て管用管継手では対応できなくなっってきている。
【０００４】
近年、こういった配管形態に対応すべく、例えば、非特許文献１に記載されるように、従来品とは異なる特殊な排水立て管用管継手が使用されるようになってきている。
【０００５】
【特許文献１】
特公平７−１１７１８８号公報
【非特許文献１】
クボタ社製カタログ「鋳鉄製排水集合管総合カタログ」２００２年５月発行（１７〜２２頁）
【０００６】
【発明が解決しようとする課題】
しかし、上記非特許文献１記載の排水立て管用管継手においては、床レベルからの種々異なる高さに対して、１品種ごとに製品を製造する必要があり、初期金型投資が高く、在庫管理等困難な上、現場で床レベルからの高さを変更する必要が発生した場合に、設計変更が容易ではない等の問題があった。
【０００７】
本発明の目的は、上記問題点に鑑み、初期金型投資を抑制し、在庫管理の簡便化や出荷納期短縮を可能にし、且つ、建設現場等において自由、容易に配管設計変更を行いうる管継手のフランジ構造及び排水用管継手を提供することにある。
【０００８】
【課題を解決するための手段】
請求項１記載の管継手のフランジ受口構造は、管継手本体に設けられるフランジ受口において、該フランジ受口形状が略小判型形状であり、該フランジ受口に用いられるフランジが前記フランジ受口に取付可能に略小判型形状を有し、前記フランジ受口に接続される管の接続位置を該フランジにより変更することが可能であることを特徴とする。
請求項２記載の管継手のフランジ受口構造は、請求項１記載の管継手のフランジ受口構造であって、フランジを回転させて用いることにより、フランジ受口に接続される管の接続位置を変更することが可能であることを特徴とする。
請求項３記載の排水用管継手は、排水立て管を接続するための上部及び下部開口接続部、該上部開口接続部の下部につながる前記排水立て管よりも大径の円筒部、該円筒部の下部に下向きに縮径されながら下部開口接続部につながるテーパー筒部、及び前記円筒部の側部に設けられた少なくとも１口の横枝管接続部を有する排水用管継手において、少なくとも１口の横枝管接続部が請求項１又は２記載のフランジ受口構造を有することを特徴とする。
【０００９】
【発明の実施の形態】
以下、本発明の実施の形態について、図面を参照しつつ説明する。
本発明の管継手用フランジ構造は、例えば図１（ａ）に例示するような略小判型形状を有するフランジ受口１と、図１（ｂ）〜（ｅ）に例示されるような、上記フランジ受口１に接続される管の接続位置を変更可能なフランジ２から構成されるものである。
【００１０】
上記フランジ２は、上記フランジ受口１に取付可能に略小判型形状であり、接続される管の接続位置を変更することが可能なように、図１（ｂ）〜（ｅ）に例示するように、開口部が略小判型形状の範囲において任意の位置に設けられたものである。
【００１１】
上記フランジ受口１及びフランジ２における略小判型形状の長軸方向としては、特に限定されず、例えば、図１に例示するように上下方向であってもよいが、必要に応じて左右方向など適宜の方向であってもよい。
【００１２】
また、上記フランジ２の開口部のサイズは、特に限定されず、例えば呼び径１００Ａ、８０Ａ、６５Ａ、５０Ａ、４０Ａなど任意のサイズに設定することができる。
【００１３】
上記フランジ受口構造においては、例えば、図２（ａ）、（ｂ）に例示するような略小判型形状のパッキン３が上記フランジ受口１とフランジ２の間に用いられてもよい。このようなパッキンを用いることで、適宜止水性を向上することができる。
【００１４】
この場合、例えば図１（ｂ）、（ｃ）、及び図２（ａ）、（ｂ）に例示するようなフランジ又はパッキンは、例えば、１８０°回転して用いる（換言すれば、上下を反転して用いる）ことにより、各々２種類の接続位置に対応して用いることが可能である。
【００１５】
すなわち、上記のようにフランジ又はパッキンを回転させて用いることにより、フランジ受口に接続される管の接続位置を変更することが可能であると、フランジ又はパッキンの品種削減が出来る点や、現場での配管設計変更が容易になるなどの点で好ましい。
【００１６】
上記フランジ受口１とフランジ２を取り付けるためのボルト用などの穴数は、例えば、図１に例示するように４穴であってもよいし、目的に応じて締め付けの面圧が満たされる条件で有れば２穴、３穴など特に限定されない。また、ボルト以外の締め付け具で取り付けられる構造であってもよい。
【００１７】
更に、上記フランジ受口１とフランジ２を取り付けるための穴の位置は、フランジを回転させて用いることが出来るような位置に設けられているとより好ましい。
【００１８】
尚、本発明におけるフランジ受口、フランジ及びパッキンの略小判型形状とは、小判型形状、楕円形状及びこれらに類するものが包含されるものとする。
【００１９】
本発明の排水用管継手は、図１に例示するように、排水立て管を接続するための上部及び下部開口接続部４，５、該上部開口接続部４の下部につながる前記排水立て管よりも大径の円筒部６、該円筒部６の下部に下向きに縮径されながら下部開口接続部５につながるテーパー筒部７、及び前記円筒部６の側部に設けられた少なくとも１口の横枝管接続部８を有する排水用管継手において、少なくとも１口の横枝管接続部８が上記フランジ受口構造を有するものである。
【００２０】
上記フランジ受口構造を有するフランジ受口１は、上記円筒部６に設けられたものであればその位置関係は特に限定されず、例えば、図３に例示するように、円筒部６に設けられた略小判型フランジ受口１の下部に横枝管接続部８，８，・・が複数設けられたものであってもよい。
【００２１】
上記排水用管継手は、例えば建物配管などにおいて、図４に例示するように床レベルから異なった高さなどで便器などの排水機器１０に接続する際に、上記略小判型フランジ受口１の部分で接続高さなどを変更して用いられる。
【００２２】
【発明の効果】
本発明のフランジ受口構造は、管継手本体に設けられるフランジ受口において、該フランジ受口形状が略小判型形状であり、該フランジ受口に用いられるフランジが前記フランジ受口に取付可能に略小判型形状を有し、接続位置が変更可能であるので、排水配管における排水立て管配管などに用いる際に、床レベルからの種々異なる高さなどに対して、１品種ごとに製品を製造する必要がなく、略小判型のフランジにより対応することが可能となり、初期金型投資を抑制し、在庫管理の簡便化や出荷納期短縮を可能にし、且つ、建設現場等において自由、容易に配管設計変更を行いうるものとなる。
【００２３】
上記フランジを回転させて用いることにより、フランジ受口に接続される管の接続位置を変更することが可能である場合には、フランジの品種削減や現場での配管設計変更の容易性などの点で、上記効果は更に確実なものとなる。
【００２４】
本発明の排水用管継手は、上記フランジ受口構造を有するので、排水配管における排水立て管配管などにおいて、上記効果を確実に発揮することができる。
【図面の簡単な説明】
【図１】本発明に係る排水用管継手の１例を示す模式図である。
（ａ）前記排水用管継手本体の側面図である。
（ｂ）前記排水用管継手の略小判型フランジの１例を示す模式図である。
（ｃ）前記排水用管継手の略小判型フランジの他の１例を示す模式図である。
（ｄ）前記排水用管継手の略小判型フランジの他の１例を示す模式図である。
（ｅ）前記排水用管継手の略小判型フランジの他の１例を示す模式図である。
【図２】本発明におけるフランジ受口に適宜用いられる略小判型パッキンの１例を示す模式図である。
【図３】本発明に係る排水用管継手の他の１例を示す模式図である。
【図４】本発明に係る排水用管継手を用いた配管例を示す模式図である。
【符号の説明】
１  フランジ受口（略小判型形状）
２  フランジ
３  パッキン
４  上部開口接続部
５  下部開口接続部
６  円筒部
７  テーパー筒部
８  横枝管接続部
１０  排水機器（便器）
【図１】
2004162512.tif 000003
【図２】
2004162512.tif 000004
【図３】
2004162512.tif 000005
【図４】
2004162512.tif 000006